(57)【特許請求の範囲】
【請求項１】
ケースと、ケース内に形成された搬送通路と、搬送通路の一端に設けられた入口と、搬送通路の他端に設けられた出口と、搬送通路に隣接して配置された鑑別センサと、搬送通路に沿って紙幣を搬送する搬送装置とを備えた紙幣鑑別装置において、
搬送通路の側部に形成された嵌合溝にガイド部材を着脱可能に装着し、
ガイド部材に形成したガイド溝を搬送通路の側部に配置し、
搬送通路の幅が拡大する傾斜面をガイド部材の出口に形成したことを特徴とする紙幣鑑別装置。
【請求項２】
ケースと、ケースに取り付けられたカバーと、ケースと支持板との間に形成された搬送通路と、搬送通路の一端に設けられた入口と、搬送通路の他端に設けられた出口と、搬送通路に隣接して配置された鑑別センサと、搬送通路に沿って紙幣を搬送する搬送装置とを備えた紙幣鑑別装置において、
底面側に設けられた幅広部及び幅広部から上方に延びる幅狭部とを有する凸断面の切欠部をケースに形成し、
ケースの切欠部の幅広部内に支持板を配置し、
搬送通路の側部に形成された嵌合溝に着脱可能にガイド部材を装着し、
ガイド部材に形成したガイド溝を搬送通路の側部に配置することを特徴とする紙幣鑑別装置。
【請求項３】
支持板は、一体に形成された平板部と、平板部の両側部に形成されたコ字状断面部とを備え、平板部は、窓部と、細長い一対のスリットとを備え、各スリット内に搬送ベルトを回転可能に配置した請求項２に記載の紙幣鑑別装置。
【請求項４】
コ字状断面部にほぼ矩形断面の細長い嵌合溝を形成し、コ字状断面部と平板部との接続部に段差部を形成した請求項３に記載の紙幣鑑別装置。
【請求項５】
カバーを幅狭部内に配置し、平板部に設けられた略十字状の窓部に対応して略十字状の窓部をカバーに形成し、カバーに形成した複数の切欠部内に紙幣を搬送するローラを回転可能に設け、各略十字状の窓部に透明板を配置した請求項２に記載の紙幣鑑別装置。
【請求項６】
ガイド部材は、一対の水平壁部と、一対の水平壁部を連結する垂直壁部とからなりかつガイド溝を形成するほぼ溝形断面を有し、搬送ベルトの外側で搬送通路の両側に形成された嵌合溝にガイド部材を着脱可能に装着した請求項２に記載の紙幣鑑別装置。
【請求項７】
垂直壁部の出口に隣接してガイド溝に紙幣を円滑に排出する傾斜面を形成した請求項２に記載の紙幣鑑別装置。
【請求項８】
ガイド部材の内側に略十字状の窓部を形成し、窓部の複数の位置に選択的に鑑別センサを配置した請求項２に記載の紙幣鑑別装置。
【発明の詳細な説明】
【０００１】
【産業上の利用分野】
この発明は、自動販売機、両替機等で用いられる紙幣識別装置、特に種々の形状の紙幣を円滑に鑑別できる紙幣鑑別装置に関する。
【０００２】
【従来の技術】
例えば、実公平６−２２１８６号公報に示されるように、発光素子と受光素子とをケース内に収容し、ケースを搬送通路に隣接して配置する紙幣鑑別装置は公知である。紙幣鑑別装置では、搬送通路を通る紙幣の光学的パターン又は磁気的パターンを光学的センサ又は磁気的センサにより読み取り、読み取ったパターンが所定のパターンと一致するか否かを判断して紙幣の真贋を判定する。
【０００３】
【発明が解決しようとする課題】
しかしながら、紙幣は金種によりサイズが相違するため、同一の紙幣鑑別装置により異なる金種の紙幣を挿入すると、搬送通路内でジャミングを発生し、紙幣が目詰まりする危険がある。特に、国により異なる大きさの紙幣が使用されかつ光学的パターン及び磁気的パターンが相違するため、各国の紙幣を鑑別する紙幣鑑別装置を製造するとき、搬送通路の大きさ及び光学的センサ又は磁気的センサの取付位置及び搬送通路の形状を変更しなければならず、紙幣鑑別装置全体の設計を見直して、個別に製造しなければならなかった。
【０００４】
そこで、この発明は種々のサイズの紙幣に対応してガイド溝の形状を変更できる紙幣鑑別装置を提供することを目的とする。
【０００５】
【課題を解決するための手段】
この発明による紙幣鑑別装置は、ケース(2)と、ケース(2)内に形成された搬送通路(3)と、搬送通路(3)の一端に設けられた入口(4)と、搬送通路(3)の他端に設けられた出口(5)と、搬送通路(3)に隣接して配置された鑑別センサ(6)と、搬送通路(3)に沿って紙幣を搬送する搬送装置(7)とを備えている。この紙幣鑑別装置では、搬送通路(3)の側部に形成された嵌合溝(8)にガイド部材(9)を着脱可能に装着し、ガイド部材(9)に形成したガイド溝(12)を搬送通路(3)の側部に配置し、搬送通路(3)の幅が拡大する傾斜面(39)をガイド部材(9)の出口(5)に形成する。
【０００６】
また、この発明による紙幣鑑別装置は、ケース(2)と、ケース(2)に取り付けられたカバー(2a)と、ケース(2)と支持板(21)との間に形成された搬送通路(3)と、搬送通路(3)の一端に設けられた入口(4)と、搬送通路(3)の他端に設けられた出口(5)と、搬送通路(3)に隣接して配置された鑑別センサ(6)と、搬送通路(3)に沿って紙幣を搬送する搬送装置(7)とを備えている。この紙幣鑑別装置では、底面側に設けられた幅広部(22)及び幅広部(22)から上方に延びる幅狭部(23)とを有する凸断面の切欠部(20)をケース(2)に形成し、ケース(2)の切欠部(20)の幅広部(22)内に支持板(21)を配置する。また、搬送通路(3)の側部に形成された嵌合溝(8)に着脱可能にガイド部材(9)を装着し、ガイド部材(9)に形成したガイド溝(12)を搬送通路(3)の側部に配置する。
【０００７】
この発明の実施例では、支持板(21)は、一体に形成された平板部(24)と、平板部(24)の両側部に形成されたコ字状断面部(25)とを備え、平板部(24)は、窓部(26)と、細長い一対のスリット(27)とを備え、各スリット(27)内に搬送ベルト(28)が回転可能に配置される。コ字状断面部(25)にほぼ矩形断面の細長い嵌合溝(8)が形成され、コ字状断面部(25)と平板部(24)との接続部に段差部(29)が形成される。
【０００８】
カバー(2a)を幅狭部(23)内に配置し、平板部(24)に設けられた略十字状の窓部(26)に対応して略十字状の窓部(30)をカバー(2a)に形成し、カバー(2a)に形成した複数の切欠部(31)内に紙幣を搬送するローラ(32)を回転可能に設け、各略十字状の窓部(26,30)に透明板が配置される。
【０００９】
ガイド部材(9)は、一対の水平壁部(35,36)と、一対の水平壁部(35,36)を連結する垂直壁部(37)とからなりかつガイド溝(12)を形成するほぼ溝形断面を有する。搬送ベルト(28)の外側で搬送通路(3)の両側に形成された嵌合溝(8)にガイド部材(9)が着脱可能に装着される。垂直壁部(37)の出口(5)に隣接してガイド溝(12)に紙幣を円滑に排出する傾斜面(39)が形成される。ガイド部材(9)の内側に略十字状の窓部(26,30)が形成され、窓部(26,30)の複数の位置に選択的に鑑別センサ(6)が配置される。
【００１０】
【作用】
搬送通路(3)の側部に形成された嵌合溝(8)の各々に着脱可能にガイド部材(9)を装着して、異なる形状のガイド溝(12)を有する一対のガイド部材(9)と一対のガイド部材(9)を交換して一対の嵌合溝(8)に装着することにより搬送通路(3)の幅を変更できる。従って、異なるサイズの紙幣に適合するガイド溝(12)を備えたガイド部材(9)を選択的に嵌合溝(8)に装着できるので、異なるサイズの紙幣を円滑に搬送することができる。また、ガイド部材(9)の出口(5)に搬送通路(3)の幅が拡大する傾斜面(39)を形成するので、紙幣を円滑に排出することができる。略十字状の窓部(26,30)の所望の位置に鑑別センサ(6)を配置して、紙幣の種々の位置の光学的特徴又は磁気的特徴等の物理的特徴を鑑別センサ(6)から取り出すことができる。
【００１１】
【実施例】
以下、この発明による紙幣鑑別装置の実施例を図１〜図９について説明する
図１に示すように、この発明による紙幣鑑別装置１は、ケース２と、ケース２に対して開閉自在に取り付けられたカバー２ａとを備えている。詳細には図示しないが、カバー２ａはピンによりケース２に回転可能に取り付けられる。ケース２に形成された凸断面の切欠部２０は、底面側に形成されかつ支持板２１が取り付けられる幅広部２２と、幅広部２２から上方に延びかつカバー２ａが配置される幅狭部２３とを有する。支持板２１は一体に形成された平板部２４と、平板部２４の両側部に形成されたコ字状断面部２５とを備えている。平板部２４には略十字状の窓部２６と、搬送ベルト２８が回転可能に配置される細長い一対のスリット２７とが形成される。コ字状断面部２５は一対の水平壁部４１、４２と、水平壁部４１、４２を連結する垂直壁部４３とを備え、水平壁部４１、４２と垂直壁部４３との間にほぼ矩形断面の細長い嵌合溝８が形成され、コ字状断面部２５の水平壁部４２と平板部２４との接続部には段差部２９が形成される。
【００１２】
平板部２４に設けられた略十字状の窓部２６に対応して略十字状の窓部３０がカバー２ａに形成される。カバー２ａに形成された複数の切欠部３１には紙幣を搬送するローラ３２が回転可能に設けられる。ケース２の幅狭部２３にカバー２ａを配置すると、平板部２４とカバー２ａとの間には搬送通路３が形成される。搬送通路３の一端には入口４が設けられ、搬送通路３の他端には出口５が設けられる。搬送通路３に隣接して略十字状の窓部２６の下方又は略十字状の窓部３０の上方には光学センサ又は磁気センサからなる鑑別センサ６が配置される。図示しないが、磁気センサは平板部２１又はカバー２ａに形成した切欠部を通じて直接紙幣に接触する状態で配置する。搬送装置７の搬送ベルト２８は、搬送通路３に沿って紙幣を搬送する。略十字状の窓部２６、３０には透明板が配置される。
【００１３】
搬送ベルト２８の外側で搬送通路３の両側に形成された嵌合溝８に着脱可能に装着されるガイド部材９は、一対の水平壁部３５、３６と、水平壁部３５、３６を連結する垂直壁部３７とからなるほぼ溝形断面を有し、一対の水平壁部３５、３６と水平壁部３５、３６によりガイド溝１２が形成される。また、ガイド部材９には複数の細長い肉抜き部４０が形成される。ガイド溝１２は垂直壁部３７の出口５に隣接して傾斜面３９が形成され、紙幣を円滑に排出することができる。
【００１４】
前記の構成において、異なるサイズの紙幣に適合するガイド溝１２を備えたガイド部材９を選択的に嵌合溝８に装着できるので、異なるサイズの紙幣を円滑に搬送することができる。例えば、カバー２ａに設けられたセンサを図９（Ａ）及び（Ｃ）に示し、ケース２に設けられたセンサを図９（Ｂ）及び（Ｄ）に示す。透明板５０を介して、発光ダイオード５１と、発光ダイオード及び受光トランジスタからなる反射型光学センサ５２と、バーコード読み取り用反射型センサ５３と、受光センサ５４とを所望の位置に配置して、異なる紙幣の所望の位置での光学パターン又は磁気パターン等の物理的特徴を検出することができる。勿論、各センサの配置位置は前記実施例に限定されない。また、略十字状の窓部２６、３０に隣接する所望の位置に鑑別センサ６を配置して、紙幣の種々の位置の光学的特徴又は磁気的特徴等の物理的特徴を鑑別センサ６から取り出すことができる。
【００１５】
この発明の実施態様は前記の実施例に限定されず種々の変更が可能である。例えば、ガイド部材９をコ字状に形成する代わりにＬ字状又は矩形状断面等種々の形状に形成することができる。また、一対のガイド部材９を使用せずに、１個のガイド部材を支持板２１の片側に装着するように構成してもよい。また、略十字形の窓部２６、３０をＴ字形、矩形等種々の形状に形成することができる。
【００１６】
【発明の効果】
前記のように、この発明では種々のサイズの紙幣に対応してガイド溝の形状を変更できる紙幣鑑別装置を得ることができる。また、光学的特徴又は磁気的特徴が異なる種々の紙幣に対応して鑑別センサを所望の位置に配置できる。
【図面の簡単な説明】
【図１】  この発明による紙幣鑑別装置の斜視図
【図２】  ガイド部材を除去した状態を示すこの発明による紙幣鑑別装置の斜視図
【図３】  ガイド部材の側面図
【図４】  ガイド部材の平面図
【図５】  ガイド部材の底面図
【図６】  ガイド部材の出口を示す端面図
【図７】  ガイド部材の入口を示す端面図
【図８】  図３のＡ−Ａ線に沿う断面図
【図９】  略十字状の窓部に隣接してセンサの種々の配置状態を示す配置図
【符号の説明】
１・・紙幣鑑別装置、  ２・・ケース、  ２ａ・・カバー、  ３・・搬送通路、  ４・・入口、  ５・・出口、  ６・・鑑別センサ、  ７・・搬送装置、  ８・・嵌合溝、  ９・・ガイド部材、  ２０・・切欠部、  ２１・・支持板、  ２２・・幅広部、  ２３・・幅狭部、  ２４・・平板部、  ２５・・コ字状断面部、  ２６、３０・・窓部、  ２７・・スリット、２８・・搬送ベルト、  ２９・・段差部、  ３１・・切欠部、  ３５、３６・・水平壁部、  ３７・・垂直壁部、  １２・・ガイド溝、  ３９・・傾斜面、
【図１】
0003756548.tif 000002
【図２】
0003756548.tif 000003
【図３】
0003756548.tif 000004
【図４】
0003756548.tif 000005
【図５】
0003756548.tif 000006
【図６】
0003756548.tif 000007
【図７】
0003756548.tif 000008
【図８】
0003756548.tif 000009
【図９】
0003756548.tif 000010